(57)【要約】【課題】デフロスト運転を最適なタイミングで解除できるヒートポンプ装置を提供する。【解決手段】圧縮機１と凝縮器２と電動膨張弁ＥＶと蒸発器４を有する冷媒回路と、圧縮機１の吐出管温度を検出する吐出管温度センサＴ１と、電動膨張弁ＥＶを全開にして正サイクルデフロスト運転を行う制御装置１０とを備える。上記制御装置１０は、吐出管温度センサＴ１により検出された吐出管温度に基づいて、正サイクルデフロスト運転を解除するデフロスト運転解除部１０aを有する。【選択図】図１
2011102678.tif 000002
【特許請求の範囲】
【請求項１】
圧縮機(１)と凝縮器(２)と電動膨張弁(ＥＶ)と蒸発器(４)を有する冷媒回路と、
上記圧縮機(１)の吐出管温度を検出する吐出管温度センサ(Ｔ１)と、
上記電動膨張弁(ＥＶ)を全開にして正サイクルデフロスト運転を行う制御装置(１０)と
を備え、
上記制御装置(１０)は、上記吐出管温度センサ(Ｔ１)により検出された吐出管温度に基づいて、正サイクルデフロスト運転を解除するデフロスト運転解除部(１０a)を有することを特徴とするヒートポンプ装置。
【請求項２】
請求項１に記載の空気調和機において、
上記蒸発器(４)の温度を検出する蒸発器温度センサ(Ｔ２)を備え、
上記制御装置(１０)は、上記蒸発器温度センサ(Ｔ２)により検出された上記蒸発器温度がデフロスト解除温度以上か否かを判定する蒸発器温度判定部(１０b)を有すると共に、
上記デフロスト運転解除部(１０a)は、上記正サイクルデフロスト運転中に、上記蒸発器温度判定部(１０b)が上記蒸発器温度センサ(Ｔ２)により検出された上記蒸発器温度がデフロスト解除温度以上であると判定すると、上記正サイクルデフロスト運転を解除することを特徴とするヒートポンプ装置。
【請求項３】
請求項１または２に記載の空気調和機において、
上記制御装置(１０)は、上記正サイクルデフロスト運転中に、上記吐出管温度センサ(Ｔ１)により検出された上記吐出管温度が、上記正サイクルデフロスト運転の開始後の下降から上昇に変化したか否かを判定する吐出管温度判定部(１０c)を有すると共に、
上記デフロスト運転解除部(１０a)は、上記吐出管温度判定部(１０c)が、上記正サイクルデフロスト運転中に、上記吐出管温度センサ(Ｔ１)により検出された上記吐出管温度が、上記正サイクルデフロスト運転の開始後の下降から上昇に変化したと判定すると、上記正サイクルデフロスト運転を解除することを特徴とするヒートポンプ装置。
【請求項４】
請求項１または２に記載の空気調和機において、
上記制御装置(１０)は、上記正サイクルデフロスト運転中に、上記吐出管温度センサ(Ｔ１)により検出された上記吐出管温度が、上記正サイクルデフロスト運転中の最低温度から所定温度上昇したか否かを判定する吐出管温度判定部(１０c)を有すると共に、
上記デフロスト運転解除部(１０a)は、上記吐出管温度判定部(１０c)が、上記正サイクルデフロスト運転中に、上記吐出管温度センサ(Ｔ１)により検出された上記吐出管温度が、上記正サイクルデフロスト運転中の最低温度から上記所定温度上昇したと判定すると、上記正サイクルデフロスト運転を解除することを特徴とするヒートポンプ装置。
【発明の詳細な説明】
【技術分野】
【０００１】
この発明は、ヒートポンプ装置に関する。
【背景技術】
【０００２】
従来、ヒートポンプ装置としては、除霜運転中に蒸発器の温度が所定温度に達したとき、除霜運転を終了して通常運転に復帰するものがある(例えば、特開平４−３４４０８５号公報(特許文献１)参照)。
【０００３】
しかしながら、上記ヒートポンプ装置では、霜の融け残りがないようにするため、蒸発器の霜が完全に融けきったときの蒸発器の温度よりも高めに上記所定温度を設定している。このため、蒸発器の霜が完全に融けきった後もデフロスト運転が続いて、通常運転の停止時間が長くなる。このように、上記ヒートポンプ装置では、蒸発器の除霜が完了したことを確実に判断することができず、デフロスト運転を最適なタイミングで解除できないという問題がある。
【０００４】
上記ヒートポンプ装置において、蒸発器の温度を検出する温度センサは、冷媒回路の制御用に適した蒸発器の位置に設けられたものであって、デフロスト用として最適な蒸発器の位置(蒸発器に着いた霜が最後に融ける領域)に設けられたものではなく、そのような温度センサにより検出された蒸発器の温度によって蒸発器の霜が完全に融けきったことを判定することは容易でない。
【先行技術文献】
【特許文献】
【０００５】
【特許文献１】特開平４−３４４０８５号公報
【発明の概要】
【発明が解決しようとする課題】
【０００６】
そこで、この発明の課題は、デフロスト運転を最適なタイミングで解除できるヒートポンプ装置を提供することにある。
【課題を解決するための手段】
【０００７】
上記課題を解決するため、この発明のヒートポンプ装置は、
圧縮機と凝縮器と電動膨張弁と蒸発器を有する冷媒回路と、
上記圧縮機の吐出管温度を検出する吐出管温度センサと、
上記電動膨張弁を全開にして正サイクルデフロスト運転を行う制御装置と
を備え、
上記制御装置は、上記吐出管温度センサにより検出された吐出管温度に基づいて、正サイクルデフロスト運転を解除するデフロスト運転解除部を有することを特徴とする。
【０００８】
上記構成によれば、圧縮機、凝縮器、電動膨張弁、蒸発器の順に冷媒が流れる正サイクルの通常運転において蒸発器が着霜すると、制御装置により電動膨張弁を全開にして圧縮機を運転することにより正サイクルデフロスト運転を行う。この正サイクルデフロスト運転において、圧縮機から吐出された高温冷媒の熱が蒸発器で除霜に消費されるので、圧縮機の吐出管温度は、徐々に下降する。そうして、このデフロスト運転により蒸発器に付着した霜が全て融けて、蒸発器で熱が消費されなくなると、圧縮機の吐出管温度が上昇に転じる。したがって、吐出管温度センサにより検出された吐出管温度に基づいて、正サイクルデフロスト運転を解除するデフロスト運転解除部は、デフロスト運転時の吐出管温度特性を利用することによって、デフロスト運転を最適なタイミングで解除することが可能になる。
【０００９】
また、一実施形態のヒートポンプ装置では、
上記蒸発器の温度を検出する蒸発器温度センサを備え、
上記制御装置は、上記蒸発器温度センサにより検出された上記蒸発器温度がデフロスト解除温度以上か否かを判定する蒸発器温度判定部を有すると共に、
上記デフロスト運転解除部は、上記正サイクルデフロスト運転中に、上記蒸発器温度判定部が上記蒸発器温度センサにより検出された上記蒸発器温度がデフロスト解除温度以上であると判定すると、上記正サイクルデフロスト運転を解除する。
【００１０】
上記実施形態によれば、正サイクルデフロスト運転中に、蒸発器温度センサにより検出された蒸発器温度がデフロスト解除温度以上であると蒸発器温度判定部が判定すると、デフロスト運転解除部により正サイクルデフロスト運転を解除することによって、デフロスト運転時の吐出管温度特性を利用したデフロスト解除の判定が遅れても、デフロスト運転を確実に解除できる。
【００１１】
また、一実施形態のヒートポンプ装置では、
上記制御装置は、上記正サイクルデフロスト運転中に、上記吐出管温度センサにより検出された上記吐出管温度が、上記正サイクルデフロスト運転の開始後の下降から上昇に変化したか否かを判定する吐出管温度判定部を有すると共に、
上記デフロスト運転解除部は、上記吐出管温度判定部が、上記正サイクルデフロスト運転中に、上記吐出管温度センサにより検出された上記吐出管温度が、上記正サイクルデフロスト運転の開始後の下降から上昇に変化したと判定すると、上記正サイクルデフロスト運転を解除する。
【００１２】
上記実施形態によれば、正サイクルデフロスト運転中に、吐出管温度センサにより検出された吐出管温度が、正サイクルデフロスト運転の開始後の下降から上昇に変化したと吐出管温度判定部が判定すると、デフロスト運転解除部により正サイクルデフロスト運転を解除することによって、デフロスト運転を最適なタイミングで確実に解除できる。
【００１３】
また、一実施形態のヒートポンプ装置では、
上記制御装置は、上記正サイクルデフロスト運転中に、上記吐出管温度センサにより検出された上記吐出管温度が、上記正サイクルデフロスト運転中の最低温度から所定温度上昇したか否かを判定する吐出管温度判定部を有すると共に、
上記デフロスト運転解除部は、上記吐出管温度判定部が、上記正サイクルデフロスト運転中に、上記吐出管温度センサにより検出された上記吐出管温度が、上記正サイクルデフロスト運転中の最低温度から上記所定温度上昇したと判定すると、上記正サイクルデフロスト運転を解除する。
【００１４】
上記実施形態によれば、正サイクルデフロスト運転中に、吐出管温度センサにより検出された吐出管温度が、正サイクルデフロスト運転中の最低温度から所定温度上昇したと吐出管温度判定部が判定すると、デフロスト運転解除部により正サイクルデフロスト運転を解除することによって、デフロスト運転を最適なタイミングで確実に解除できる。
【発明の効果】
【００１５】
以上より明らかなように、この発明のヒートポンプ装置によれば、デフロスト運転を最適なタイミングで解除できるヒートポンプ装置を実現することができる。
【図面の簡単な説明】
【００１６】
【図１】図１はこの発明の第１実施形態のヒートポンプ装置の回路図である。
【図２】図２は上記ヒートポンプ装置のデフロスト運転時の吐出管温度と霜の量および蒸発器温度の変化を示す図である。
【図３】図３は上記ヒートポンプ装置の制御装置のデフロスト運転時の動作を説明するフローチャートである。
【図４】図４は上記ヒートポンプ装置のデフロスト運転時の圧縮機の吐出管温度、圧縮機の運転周波数、電動膨張弁の目標開度、空気熱交換器温度、圧縮機の吸入温度、外気温度の変化を示す図である。
【図５】図５は図４に示す圧縮機の吐出管温度と圧縮機の吸入温度を示す図である。
【図６】図６は上記ヒートポンプ装置のデフロスト運転時の圧縮機の吐出管温度、圧縮機の運転周波数、電動膨張弁の目標開度、蒸発器温度、圧縮機の吸入温度、外気温度の変化を示す図である。
【図７】図７は図６に示す圧縮機の吐出管温度と圧縮機の吸入温度を示す図である。
【図８】図８はこの発明の第２実施形態のヒートポンプ装置の制御装置のデフロスト運転時の動作を説明するフローチャートである。
【図９】図９はこの発明の第３実施形態のヒートポンプ装置の制御装置のデフロスト運転時の動作を説明するフローチャートである。
【発明を実施するための形態】
【００１７】
以下、この発明のヒートポンプ装置を図示の実施の形態により詳細に説明する。
【００１８】
〔第１実施形態〕
図１はこの発明の第１実施形態のヒートポンプ装置の回路図を示している。このヒートポンプ装置は、貯湯式給湯機に用いられる。
【００１９】
この第１実施形態のヒートポンプ装置は、図１に示すように、圧縮機１と、上記圧縮機１の吐出側に配管Ｌ１を介して一端(一次側)が接続された凝縮器(水熱交換器)２と、上記凝縮器２の他端(一次側)に配管Ｌ２を介して一端(高圧側)が接続されたガス熱交換器３と、上記ガス熱交換器３の他端(高圧側)に配管Ｌ３を介して一端が接続された電動膨張弁ＥＶと、上記電動膨張弁ＥＶの他端に配管Ｌ４を介して一端が接続され、他端が配管Ｌ５を介してガス熱交換器３の一端(低圧側)に接続された蒸発器(空気熱交換器)４と、上記ガス熱交換器３の低圧側の他端と配管Ｌ６を介して一端が接続され、他端が配管Ｌ７を介して圧縮機１の吸込側に接続されたアキュムレータ５と、上記蒸発器４に外気を供給する送風ファン６とを備えている。上記圧縮機１と凝縮器２と電動膨張弁ＥＶおよび蒸発器４で冷媒回路を構成している。上記ヒートポンプ装置には、地球温暖化係数が小さくオゾンを破壊しないＣＯ２冷媒を用いている。
【００２０】
また、上記圧縮機１の吐出側に、吐出温度を検出する吐出管温度センサＴ１を配置すると共に、吐出圧力を検出する圧力センサＨＰＳを配置している。また、上記蒸発器４に蒸発器温度を検出する蒸発器温度センサＴ２を配置し、蒸発器４近傍に、外気温度を検出する外気温度センサＴ３を配置している。
【００２１】
また、上記凝縮器２の一端(二次側)に配管Ｌ１１の一端を接続し、配管Ｌ１１の他端を貯湯タンク(図示せず)に接続している。一方、凝縮器２の他端(二次側)に配管Ｌ１２の一端を接続し、配管Ｌ１２の他端を貯湯タンクに接続している。上記配管Ｌ１１に入水温度センサＴ４を配置し、配管Ｌ１２に出湯温度センサＴ５を配置している。
【００２２】
また、上記ヒートポンプ装置は、マイクロコンピュータと入出力回路などからなる制御装置１０を備えている。上記制御装置１０は、正サイクルデフロスト運転を解除するデフロスト運転解除部１０aと、蒸発器温度を判定する蒸発器温度判定部１０bと、吐出管温度を判定する吐出管温度判定部１０cとを有する。上記吐出管温度センサＴ１と蒸発器温度センサＴ２と外気温度センサＴ３および圧力センサＨＰＳの検出信号などに基づいて、制御装置１０は、圧縮機１,電動膨張弁ＥＶ,送風ファン６などを制御する。
【００２３】
上記構成のヒートポンプ装置を用いて貯湯タンク内の水を沸き上げるとき、ヒートポンプ装置の圧縮機１を駆動すると共に送風ファン６の運転を開始する。そして、貯湯タンク内の水を凝縮器２を介して循環させる沸き上げ用循環ポンプ(図示せず)を駆動する。そうすると、圧縮機１から吐出された高圧ガス冷媒は、凝縮器２で放熱して凝縮することにより液冷媒となった後、電動膨張弁ＥＶで減圧された低圧冷媒は、蒸発器４で外気から熱を吸収して蒸発する。そうして、蒸発器４で蒸発した低圧ガス冷媒は、圧縮機１の吸込側に戻る。このとき、沸き上げ用循環ポンプにより貯湯タンクの下部から配管Ｌ１１を介して凝縮器２の二次側に流入した水は、凝縮器２で加熱されて９０℃近い温水となり、配管Ｌ１２を介して貯湯タンク２１の上部に戻る。こうして、貯湯タンク内の水を沸き上げ用循環ポンプと凝縮器２を介して循環させることにより、貯湯タンク内の水を沸き上げる。
【００２４】
ここで、ガス熱交換器３は、凝縮器２から出る高圧高温の冷媒と、蒸発器４から出る低圧低温の冷媒との間で熱交換を行うことにより、高圧が上昇しすぎるのを抑える。
【００２５】
上記沸き上げ運転が連続したり断続的に繰り返されたりすると、外気温度などの条件によっては蒸発器４に着霜が生じる。このヒートポンプ装置では、電動膨張弁ＥＶの開度を全開にした正サイクルデフロスト運転により蒸発器４に付着した霜を融かす。
【００２６】
上記正サイクルデフロスト運転(以下、デフロスト運転という)において、圧縮機１の吐出管温度と蒸発器４の霜の量および蒸発器温度は、図２に示すように変化する。デフロスト運転開始から時間が経過すると共に、図２に示すように、霜の量は徐々に減少すると共に、圧縮機１の吐出管温度も徐々に下がるが、吐出管温度は、霜の量がゼロになる前に勾配が緩やかになり、霜の量がゼロになる近傍で最低温度となった後、上昇に転じる。
【００２７】
従来のヒートポンプ装置では、図２に示すように、デフロスト運転開始から時間が経過と共に徐々に上昇する蒸発器温度と判定値とを比較して、蒸発器温度が判定値を越えたときにデフロスト運転を解除していた。
【００２８】
これに対して、この第１実施形態では、デフロスト運転中に、蒸発器温度判定部１０bが蒸発器温度センサＴ２により検出された蒸発器温度がデフロスト解除温度Ｘ℃(この実施形態では７℃)未満であると判定し、かつ、吐出管温度判定部１０cが、デフロスト運転中に、吐出管温度センサＴ１により検出された吐出管温度が、デフロスト運転の開始後の下降から上昇に変化したと判定すると、デフロスト運転解除部１０aによりデフロスト運転を解除する。そうすることによって、デフロスト運転を最適なタイミングで確実に解除することができる。
【００２９】
また、デフロスト運転中に、蒸発器温度判定部１０bが蒸発器温度センサＴ２により検出された蒸発器温度がデフロスト解除温度Ｘ℃以上であると判定すると、デフロスト運転解除部１０aによりデフロスト運転を解除するので、デフロスト運転時の吐出管温度特性を利用したデフロスト解除の判定が遅れても、デフロスト運転を確実に解除できる。
【００３０】
図３は上記ヒートポンプ装置の制御装置１０のデフロスト運転時の動作を説明するフローチャートを示している。
【００３１】
まず、処理がスタートすると、ステップＳ１でデフロスト運転を開始する。すなわち、沸き上げ運転中であれば、貯湯タンク内の水を凝縮器２を介して循環させる沸き上げ用循環ポンプを停止し、電動膨張弁ＥＶの開度を全開にし、圧縮機１の運転周波数をデフロスト運転時の周波数にする。
【００３２】
次に、ステップＳ２に進み、蒸発器温度センサＴ２により蒸発器温度を検出する。
【００３３】
次に、ステップＳ３に進み、蒸発器温度判定部１０bにより蒸発器温度がデフロスト解除温度Ｘ℃以上であるか否かを判定する。そして、ステップＳ３で蒸発器温度判定部１０bが蒸発器温度がデフロスト解除温度Ｘ℃以上であると判定すると、ステップＳ６に進み、デフロスト運転解除部１０aによりデフロスト運転を解除して、この処理を終了する。
【００３４】
一方、ステップＳ３で蒸発器温度判定部１０bが蒸発器温度がデフロスト解除温度Ｘ℃未満であると判定すると、ステップＳ４に進み、吐出管温度センサＴ１により吐出管温度を検出する。
【００３５】
次に、ステップＳ５に進み、吐出管温度判定部１０cにより吐出管温度が下降から上昇に変化したか否かを判定する。すなわち、吐出管温度センサＴ１により検出された吐出管温度がデフロスト運転の開始後の下降から上昇に変化したか否かを判定する。
【００３６】
そして、ステップＳ５で吐出管温度判定部１０cが吐出管温度が下降から上昇に変化したと判定すると、ステップＳ６に進み、デフロスト運転解除部１０aによりデフロスト運転を解除して、この処理を終了する。なお、ここでステップＳ５からステップＳ６に進む前に、所定時間(この実施形態では３０秒)待った後、ステップＳ６に進むようにして、デフロスト運転の解除を遅らせることにより余裕を持たせてもよい。
【００３７】
一方、ステップＳ５で吐出管温度判定部１０cが吐出管温度が下降から上昇に変化していないと判定すると、ステップＳ２に戻る。
【００３８】
図４は上記ヒートポンプ装置のデフロスト運転時の圧縮機１の吐出管温度、圧縮機１の運転周波数、電動膨張弁ＥＶの目標開度、蒸発器温度、圧縮機１の吸入温度、外気温度の変化を示し、図５は図４に示す圧縮機１の吐出管温度と圧縮機１の吸入温度のみを示している。この図４, 図５では、デフロスト運転前後の通常運転時の圧縮機１の運転周波数がデフロスト運転時よりも低い場合を示している。また、図４, 図５において、横軸は経過時間[任意目盛]を表し、横軸は運転周波数[任意目盛]と各部温度[任意目盛]および開度を表している。
【００３９】
図４に示すように、通常運転を一旦止めてデフロスト運転を開始するとき、電動膨張弁ＥＶの目標開度を全開にし、圧縮機１の運転周波数を通常運転時よりも高くする。そうすると、圧縮機１の吐出管温度は徐々に低くなると共に、蒸発器温度および圧縮機１の吸入温度が上昇する。そして、蒸発器４の霜が完全に融けると、吐出管温度は下降から上昇に転じる。
【００４０】
このデフロスト運転では、圧縮機１から吐出された高温冷媒の熱が蒸発器４で除霜に消費されるので、圧縮機１の吐出管温度は徐々に下降し、蒸発器４に付着した霜が全て融けて、蒸発器４で熱が消費されなくなると、圧縮機１の吐出管温度が上昇に転じる。このように、図４では、デフロスト運転中に、蒸発器温度センサＴ２により検出された蒸発器温度がデフロスト解除温度未満であると蒸発器温度判定部１０bが判定し、かつ、吐出管温度センサＴ１により検出された吐出管温度が、デフロスト運転の開始後の下降から上昇に変化したと吐出管温度判定部１０cが判定すると、デフロスト運転解除部１０aによりデフロスト運転を解除している。デフロスト運転解除後、圧縮機１は通常運転の運転周波数に戻すと共に、電動膨張弁ＥＶも通常運転の開度に戻すことにより、吐出管温度は上昇し、蒸発器４の蒸発器温度の上昇は止まる。
【００４１】
また、図６は上記ヒートポンプ装置のデフロスト運転時の圧縮機１の吐出管温度、圧縮機１の運転周波数、電動膨張弁ＥＶの目標開度、蒸発器温度、圧縮機１の吸入温度、外気温度の変化を示し、図７は図６に示す圧縮機１の吐出管温度と圧縮機１の吸入温度のみを示している。この図６,図７では、デフロスト運転前後の通常運転時の圧縮機１の運転周波数デフロスト運転時よりもが高い場合を示している。また、図６,図７において、横軸は経過時間[任意目盛]を表し、横軸は圧縮機１の運転周波数[任意目盛]と各部の温度[任意目盛]および開度を表している。
【００４２】
上記図５,図７に示すように、デフロスト運転において、蒸発器４の霜が融ける間は圧縮機１の吐出管温度が下降するのに対して、圧縮機１の吸入温度は上昇する。そして、蒸発器４の霜が完全に融けると、蒸発器４で熱を消費しなくなって吐出管温度が下降から上昇に転じるが、圧縮機１の吸入温度はそのまま上昇し続ける。圧縮機１からすぐに出たところの冷媒温度すなわち冷媒回路の中で最も温度の高い吐出管温度に対して、凝縮器２,ガス熱交換器３および蒸発器４の影響を受ける圧縮機１の吸入温度では、蒸発器４の除霜が完了したことを示す変位点が表れない。このように、吐出管温度と吸入温度ではデフロスト運転時の特性が全く異なる。
【００４３】
なお、上記第１実施形態では、デフロスト運転中に、蒸発器温度センサＴ２により検出された蒸発器温度がデフロスト解除温度未満であると蒸発器温度判定部１０bが判定し、かつ、吐出管温度センサＴ１により検出された吐出管温度が、デフロスト運転の開始後の下降から上昇に変化したと吐出管温度判定部１０cが判定すると、デフロスト運転解除部１０aによりデフロスト運転を解除したが、蒸発器温度の判定はなくてもよく、吐出管温度の変化(下降から上昇)によりデフロスト運転を解除してもよい。
【００４４】
〔第２実施形態〕
図８はこの発明の第２実施形態のヒートポンプ装置の制御装置１０のデフロスト運転時の動作を説明するフローチャートである。この第２実施形態のヒートポンプ装置は、制御装置１０を除いて第１実施形態のヒートポンプ装置と同一の構成をしており、図１を援用する。
【００４５】
この第２実施形態の図８のフローチャートが第１実施形態の図３に示すフローチャートと異なる点は、図３のステップＳ５がステップＳ１０に置き換わったことである。
【００４６】
以下、第１実施形態の制御装置１０と異なる動作について主に説明する。
【００４７】
ステップＳ３で蒸発器温度判定部１０bが蒸発器温度がデフロスト解除温度Ｘ℃未満であると判定すると、ステップＳ４に進み、吐出管温度センサＴ１により吐出管温度を検出する。
【００４８】
次に、ステップＳ１０に進み、吐出管温度判定部１０cにより吐出管温度が最低温度から所定温度Ａ℃上昇したか否かを判定する。すなわち、吐出管温度センサＴ１により検出された吐出管温度がデフロスト運転の開始後の最低温度から所定温度Ａ℃上昇したか否かを判定する。
【００４９】
そして、ステップＳ１０で吐出管温度判定部１０cが吐出管温度が最低温度から所定温度Ａ℃上昇したと判定すると、ステップＳ６に進み、デフロスト運転解除部１０aによりデフロスト運転を解除する。
【００５０】
一方、ステップＳ１０で吐出管温度判定部１０cが吐出管温度が最低温度から所定温度Ａ℃上昇していないと判定すると、ステップＳ２に戻る。
【００５１】
このように、上記第２実施形態のヒートポンプ装置では、デフロスト運転中に、蒸発器温度センサＴ２により検出された蒸発器温度がデフロスト解除温度Ｘ℃未満であると蒸発器温度判定部１０bが判定し、かつ、吐出管温度センサＴ１により検出された吐出管温度が、デフロスト運転中の最低温度から所定温度Ａ℃上昇したと吐出管温度判定部１０cが判定すると、デフロスト運転解除部１０aによりデフロスト運転を解除することによって、そうすることによって、デフロスト運転を最適なタイミングで確実に解除することができる。
【００５２】
また、デフロスト運転中に、蒸発器温度判定部１０bが蒸発器温度センサＴ２により検出された蒸発器温度がデフロスト解除温度Ｘ℃以上であると判定すると、デフロスト運転解除部１０aによりデフロスト運転を解除するので、デフロスト運転時の吐出管温度特性を利用したデフロスト解除の判定が遅れても、デフロスト運転を確実に解除できる。
【００５３】
なお、上記第２実施形態では、デフロスト運転中に、蒸発器温度センサＴ２により検出された蒸発器温度がデフロスト解除温度未満であると蒸発器温度判定部１０bが判定し、かつ、吐出管温度センサＴ１により検出された吐出管温度が、デフロスト運転中の最低温度から所定温度上昇したと吐出管温度判定部１０cが判定すると、デフロスト運転解除部１０aによりデフロスト運転を解除したが、蒸発器温度の判定はなくてもよく、吐出管温度の変化(最低温度からの上昇)によりデフロスト運転を解除してもよい。
【００５４】
〔第３実施形態〕
図９はこの発明の第３実施形態のヒートポンプ装置の制御装置１０のデフロスト運転時の動作を説明するフローチャートである。この第３実施形態のヒートポンプ装置は、制御装置１０を除いて第１実施形態のヒートポンプ装置と同一の構成をしており、図１を援用する。
【００５５】
まず、処理がスタートすると、図９に示すように、ステップＳ２１でデフロスト運転を開始する。すなわち、沸き上げ運転中であれば、貯湯タンク内の水を凝縮器２を介して循環させる沸き上げ用循環ポンプを停止し、電動膨張弁ＥＶの開度を全開にし、圧縮機１の運転周波数をデフロスト運転時の周波数にする。
【００５６】
次に、ステップＳ２２に進み、蒸発器温度センサＴ２により蒸発器温度を検出する。
【００５７】
次に、ステップＳ２３に進み、第１の蒸発器温度判定部１０bにより蒸発器温度がデフロスト解除温度Ｘ℃以上であるか否かを判定する。そして、ステップＳ２３で第１の蒸発器温度判定部１０bが蒸発器温度がデフロスト解除温度Ｘ℃以上であると判定すると、ステップＳ２７に進み、デフロスト運転解除部１０aによりデフロスト運転を解除して、この処理を終了する。
【００５８】
一方、ステップＳ２３で第１の蒸発器温度判定部１０bが蒸発器温度がデフロスト解除温度Ｘ℃未満であると判定すると、ステップＳ２４に進む。
【００５９】
そして、ステップＳ２４で吐出管温度センサＴ１により吐出管温度を検出する。
【００６０】
次に、ステップＳ２５に進み、吐出管温度判定部１０cにより吐出管温度が下降から上昇に変化したか否かを判定する。すなわち、吐出管温度がデフロスト運転の開始後の下降から上昇に変化したか否かを判定する。
【００６１】
そして、ステップＳ２５で吐出管温度判定部１０cが吐出管温度が下降から上昇に変化したと判定すると、ステップＳ２７に進み、デフロスト運転解除部１０aによりデフロスト運転を解除して、この処理を終了する。なお、ここでステップＳ２５からステップＳ２７に進む前に、所定時間(この実施形態では３０秒)待った後、ステップＳ２７に進むようにして、デフロスト運転の解除を遅らせることにより余裕を持たせてもよい。
【００６２】
一方、ステップＳ２５で吐出管温度判定部１０cが吐出管温度が下降から上昇に変化していないと判定すると、ステップＳ２６に進み、吐出管温度判定部１０cにより吐出管温度が最低温度から所定温度Ａ℃上昇したか否かを判定する。すなわち、吐出管温度がデフロスト運転の開始後の最低温度から所定温度Ａ℃上昇したか否かを判定する。
【００６３】
そして、ステップＳ２６で吐出管温度判定部１０cが吐出管温度が最低温度から所定温度Ａ℃上昇したと判定すると、ステップＳ２７に進み、デフロスト運転解除部１０aによりデフロスト運転を解除して、この処理を終了する。
【００６４】
一方、ステップＳ２６で吐出管温度判定部１０cが吐出管温度が最低温度から所定温度Ａ℃上昇していないと判定すると、ステップＳ２２に戻り、ステップＳ２２〜Ｓ２６を繰り返す。
【００６５】
このように、上記第３実施形態のヒートポンプ装置では、デフロスト運転中に、蒸発器温度センサＴ２により検出された蒸発器温度がデフロスト解除温度Ｘ℃未満であると第１の蒸発器温度判定部１０bが判定するか、または、吐出管温度センサＴ１により検出された吐出管温度がデフロスト運転の開始後の下降から上昇に変化したと吐出管温度判定部１０cが判定するか、または、吐出管温度センサＴ１により検出された吐出管温度がデフロスト運転中の最低温度から所定温度Ａ℃上昇したと吐出管温度判定部１０cが判定すると、デフロスト運転解除部１０aによりデフロスト運転を解除する。この３つの条件判定のいずれか１つによって、デフロスト運転を解除するので、蒸発器４を確実に除霜できる。
【００６６】
上記第１〜第３実施形態では、貯湯式給湯機に用いられたヒートポンプ装置について説明したが、貯湯式給湯機に限らず、床暖房装置や空気調和機などの他の装置にこの発明のヒートポンプ装置を適用してもよい。
【００６７】
また、上記第１〜第３実施形態では、ヒートポンプ装置はＣＯ２冷媒を使用していたが、ＮＨ３冷媒やＲ２２冷媒などの他の冷媒を使用してもよい。
【００６８】
この発明の具体的な実施の形態について説明したが、この発明は上記第１〜第３実施形態に限定されるものではなく、この発明の範囲内で種々変更して実施することができる。
【符号の説明】
【００６９】
１…圧縮機
２…凝縮器
３…ガス熱交換器
４…蒸発器
５…アキュムレータ
６…送風ファン
１０…制御装置
１０a…デフロスト運転解除部
１０b…蒸発器温度判定部
１０c…吐出管温度判定部
Ｔ１…吐出管温度センサ
Ｔ２…蒸発器温度センサ
Ｔ３…外気温度センサ
Ｔ４…入水温度センサ
Ｔ５…出湯温度センサ
【図１】
2011102678.tif 000003
【図２】
2011102678.tif 000004
【図３】
2011102678.tif 000005
【図４】
2011102678.tif 000006
【図５】
2011102678.tif 000007
【図６】
2011102678.tif 000008
【図７】
2011102678.tif 000009
【図８】
2011102678.tif 000010
【図９】
2011102678.tif 000011